(57)【要約】      （修正有）【課題】薄手の片面パイルメリヤス編み布地二枚をパイル面が外側になるように重ね合わせ、二枚の間に空気層確保のためにダブルラッセルシートを挿入し、ミシン縫いで一体化した三層構造にしたことによる通気性の高いマットを提供する。【解決手段】薄手の片面パイルメリヤス編み布地４０１と４０３との二枚の間にポリエステル繊維製１００％の厚さが１ｍｍ〜５ｍｍのダブルラッセルメッシュシート４０２を一枚挟み込んでミシン縫いした多層構造の布地である。尚、薄手の片面パイル布地４０１と４０３は混紡率綿４０％以上、ポリエステル６０％以下であれば良く、糸番手は綿糸が２０Ｓ〜４０Ｓ、ポリエステル糸が１００Ｄ〜２００Ｄであれば良い。【選択図】図４
0003146599.tif 000002
【実用新案登録請求の範囲】
【請求項１】
薄手の片面パイルメリヤス編み布地二枚４０１と４０３とをパイル面が外側になるように重ね合わせ、前記薄手の片面パイルメリヤス編み布地二枚の間にダブルラッセルシート４０２を一枚以上挿入し、ミシン縫いで一体化した多層構造にしたことを特徴とするマット布地。
【請求項２】
請求項１記載の薄手の片面パイルメリヤス編み布地４０１と４０３綿１００％製であることを特徴とする薄手の片面パイルメリヤス編み布地。
【請求項３】
請求項１記載の薄手の片面パイルメリヤス編み布地４０１と４０３は綿４０％以上、化繊６０％以下の混紡製であることを特徴とする薄手の片面パイルメリヤス編み布地。
【請求項４】
請求項１記載のダブルラッセルシート４０２は厚さが１ｍｍから７ｍｍの範囲内のポリエステル１００％繊維製であることを特徴とするダブルラッセルシート。
【考案の詳細な説明】
【技術分野】
【０００１】
本発明は、多層重ね合わせ構造の布に関し、特に、乾燥性の良い多層構造早乾性サウナマットに関する。
【背景技術】
【０００２】
従来のマットはクッション性と吸水性を高めるために厚手の両面パイル布地（綿１００％又は、綿との混紡）（図示せず）を二枚重ね合わせてミシン縫いした構造になっている布地が主流になっている。そのため洗濯後の乾燥時間が長く、乾燥に掛かるコストが大きい。又、乾燥性を良くするために化学繊維製のパイル布地を使用すると、静電気を帯電し易い為に結果はホコリを多く吸着することになるのでサウナマットとして使用出来ない。
【０００３】
更に従来のマットは汗や水などでマットが濡れたときに水分の乾燥性が悪く人の肌に触れたりしたときの感触が悪かった。この従来のマットをサウナのベンチマットや床マットに使用した場合には乾燥性が悪いためにベンチ板（木製）や床板（木製）が腐り易く板の交換サイクルが短いことも問題となっていた。
【０００４】
更に又、従来のマットはパイル布地のパイル部分の糸が引っかかり易く解れが発生し易い為に耐久性が無いことも問題となっていた。
【考案の開示】
【考案が解決しようとする課題】
【０００５】
従来のマットはクッション性と吸水性を高めるために厚手の両面パイル布地（綿１００％）（図示せず）を二枚重ね合わせてミシン縫いした構造になっているマットが主流になっている。そのため洗濯後の乾燥時間が長く、乾燥に掛かるコストが大きい。また、従来のマットは汗や水などでマットが濡れたときに水分の乾燥性が悪く、人の肌に触れたりしたときの感触が悪かった。この従来のマットをサウナのベンチマットや床マットに使用した場合には乾燥性が悪いためにベンチ板（木製）や床板（木製）が腐り易く、板の交換サイクルが短いことも問題となっていた。更に又、両面がパイル地の布は糸が引っかかり易く解れが発生し易い為に耐久性が無いことも問題となっていた。本考案はこれらの諸問題を解決する通気性の良いマットを提供することである。
【課題を解決するための手段】
【０００６】
従来のマットはクッション性と吸水性を高めるために厚手の両面パイル布地（綿１００％）（図示せず）を二枚重ね合わせてミシン縫いした構造になっていたが、本考案の実施例を図４に示したように薄手の片面パイルメリヤス編み布地４０１、４０３のパイル面が互いに外側になるように二枚を合わせ、ダブルラッセルメッシュシート４０２を一枚又は複数枚を挟み込んだ多層構造にして空気層を確保したサウナマットとした。前記薄手の片面パイルメリヤス編み布地４０１、４０３は水分の拡散性２０１が良いので本考案のサウナマットは乾燥性が従来のマットに比べ良いものである。
【考案の効果】
【０００７】
従来のサウナマットと本考案によるサウナマットとを比較するならば、前者の厚手の両面パイル布地（綿１００％）（図示せず）を二枚重ね合わせてミシン縫いした構造になっているサウナマットは空気層が少なく洗濯後の乾燥性が悪いためにリネン業社のコスト負担が大きかったが、後者の本考案によるサウナマットは、図４に示すように薄手の片面パイルメリヤス編み布地のパイル面４０１、４０３が外側になるように二枚を合わせ、ダブルラッセルメッシュシート４０２を一枚又は複数枚を挟み込んだ三層以上の多層構造になって空気層を確保しているために洗濯後の乾燥も速く、リネン業社の乾燥に掛かるコスト負担を軽減することが出来る。
【０００８】
更に又、従来のマットをサウナのベンチマットや床マットに使用した場合には乾燥性が悪いためにベンチ板（木製）や床板（木製）が腐り易く、板の交換サイクルが短いことも問題となっていた。更に両面がパイル地の布はパイル部の糸が引っかかり易く解れが発生し易い為に耐久性が無いことも問題となっていたが、片面パイルメリヤス編み布地はメリヤス面が水分の拡散性が良く、一本の糸で編まれているので解れ難い。本考案の多層構造マットをサウナマットとして使用することにより、ポンプ作用が従来のマットに比べて大きくベンチ板（木製）や床板（木製）が水分が染み通りにくく乾き易い、その結果、板の交換サイクルを延ばすことが出来る。
【考案を実施するための最良の形態】
【０００９】
本考案によるサウナマットは、薄手の片面パイルメリヤス編み布地（滴下した汗等の水分の拡散性が良い）のパイル面が互いに外側になるように二枚を合わせ、ダブルラッセルメッシュシートを一枚又は複数枚を挟み込んだ多層構造になって空気層を確保している構造が最も良い。
【実施例】
【００１０】
以下、添付図面に従って第一の実施例を説明する。本考案の一実施例は、図４に示すように薄手の片面パイルメリヤス編み布地４０１と４０３との二枚の間にポリエステル繊維製１００％の厚さが１ｍｍ〜５ｍｍのダブルラッセルメッシュシート４０２を一枚挟み込んでミシン縫いした多層構造の布地である。尚、薄手の片面パイル布地４０１と４０３は混紡率綿４０％以上、ポリエステル６０％以下であれば良く、糸番手は綿糸が２０Ｓ〜４０Ｓ、ポリエステル糸が１００Ｄ〜２００Ｄであれば良い。例えば中国・上海市閔行區燈路１１１８號の・奥紡織服飾有限公司社製（品番：ＧＴ８０００）の薄手の片面パ
イル布地４０１と４０３である。
【００１１】
本考案の第二の実施例は、薄手の片面パイルメリヤス編み布地４０１と４０３は綿１００％製のであっても良く、その４０１と４０３の間には第一の実施例と同じくポリエステル繊維製１００％の厚さが１ｍｍ〜５ｍｍのダブルラッセルメッシュシート４０２を一枚挟み込んでミシン縫いした多層構造の布地である。例えば中国・上海市閔行區燈路
１１１８號の・奥紡織服飾有限公司社製（品番：ＧＴ９０００）の薄手の片面パイル布地４０１と４０３である。
【００１２】
本考案の二つの実施例を示したが、二枚の薄手の片面パイルメリヤス編み布地４０１と４０３に挟むダブルラッセルメッシュシート４０２は一枚以上複数枚重ね合わせても差し支えがないとするが、製造コストから考えると当然のことであるがダブルラッセルメッシュシート４０２は一枚が最良である。そして薄手の片面パイルメリヤス編み布地４０１と４０３の重さは１８０〜３００グラム／平方メートルのものを使用するが、最適な布地は綿１００％製で２００グラム／平方メートルの薄手の片面パイル布地が良い。
【産業上の利用可能性】
【００１３】
本考案の実施例をサウナマットで展開してきたが、他の利用分野も様々考えられる。
その分野の一つは空気層を確保した構造は衣服に使用した場合には中間の空気層が外気による体温低下を和らげる緩衝帯となり保温性のある衣服や寒さをしのぐための毛布に代わることも出来るものである。
【図面の簡単な説明】
【００１４】
【図１】本考案の一実施例の薄手の片面パイルメリヤス編み布地のパイル面に水滴が落ちる様子を表した斜視図図である。
【図２】本考案の実施例の薄手の片面パイルメリヤス編み布地に落ちた水滴が速く拡散することを概念的に表したメリヤス面を上にした斜視図である。
【図３】本考案の実施例に用いる片面パイルメリヤス編み布地の略断面図である。
【図４】本考案の一実施例の薄手の片面パイルメリヤス編み布地二枚にダブルラッセルシートを挟んだ多層構造布地の斜視図である。
【符号の説明】
【００１５】
１０１  水滴
１０２  パイル部を上にしたパイルメリヤス編み布地
２０１  パイルメリヤス編み布地のメリヤス面から見た拡散した水滴
２０２  パイル部を下にしたパイルメリヤス編み布地
３０１  パイルメリヤス編み布地のパイル
３０２  パイルメリヤス編み布地のメリヤス
４０１  パイル部を上にしたパイルメリヤス編み布地
４０２  ダブルラッセルシート
４０３  パイル部を下にしたパイルメリヤス編み布地
４０４  拡大したダブルラッセルシート
【図１】
0003146599.tif 000003
【図２】
0003146599.tif 000004
【図３】
0003146599.tif 000005
【図４】
0003146599.tif 000006